(57)【要約】【課題】コネクタカバーの先通しおよびテープ巻き固定が不要で、各電線とコネクタとの接続後に容易にコネクタカバーを固定可能なコネクタカバーの取付構造を提供すること。【解決手段】カバー取付具３０と、コネクタカバー５０と、を備え、カバー取付具３０は、棒状部３１の脱出防止凸部３３がコネクタ２０から離れた側に位置する向きに固定部３２が電線束ＷＢにテープ固定され、コネクタカバー５０は、大径筒部５１がコネクタ２０を覆い、小径筒部５２が電線束ＷＢの端部を覆い、二対の貫通孔５４ａ，５４ｂ、および５４ｃ，５４ｄが、互いに重ね合わされ、二対の貫通孔のうちのコネクタ２０寄りの貫通孔５４ａ，５４ｂに棒状部３１が内方から外方に挿通され、さらにコネクタ２０から離れた側の貫通孔５４ｃ，５４ｄに棒状部３１が外方から内方に向けて挿通されている。【選択図】図１
2017168200.tif 000002
【特許請求の範囲】
【請求項１】
複数の端子収容孔を有し、前記各端子収容孔に電線束を構成する各電線の末端に設けられた端子が差し込まれたコネクタを覆うコネクタカバーの取付構造において、
棒状部と、前記棒状部と一体かつ前記棒状部に隣接して設けられた固定部と、前記棒状部の先端部に形成された脱出防止凸部と、を有するカバー取付具と、
前記コネクタを覆うように形成された大径筒部と、前記大径筒部に連設され、前記電線束の端部を覆うように形成された小径筒部と、前記小径筒部に設けられ前記コネクタを通すように前記小径筒部を開く切れ込みと、前記小径筒部の前記切れ込みを挟んだ両側に形成された二対の貫通孔と、を有する前記コネクタカバーと、を備え、
前記カバー取付具は、前記棒状部の前記脱出防止凸部が前記コネクタから離れた側に位置する向きに前記固定部が前記電線束にテープ固定され、
前記コネクタカバーは、前記大径筒部が前記コネクタを覆い、前記小径筒部が前記電線束の端部を覆い、前記二対の貫通孔が、互いに重ね合わされ、前記二対の貫通孔のうちの前記コネクタ寄りの前記貫通孔に前記棒状部が内方から外方に挿通され、さらに前記コネクタから離れた側の前記貫通孔に前記棒状部が外方から内方に向けて挿通されていることを特徴とするコネクタカバーの取付構造。
【請求項２】
複数の端子収容孔を有し、前記各端子収容孔に電線束を構成する各電線の末端に設けられた端子が差し込まれたコネクタを覆うコネクタカバーの取付構造において、
互いに対向する第１の面部と第２の面部とが近接可能に一端同士でつながっているＵ字形状部を有し、互いに押し付けられて係合する一対または複数対の係合凸部および係合凹部が前記第１の面部および前記第２の面部に分配して設けられたカバー取付具と、
前記コネクタを覆うように形成された大径筒部と、前記大径筒部に連設され、前記電線束の端部を覆うように形成された小径筒部と、前記小径筒部に設けられ前記コネクタを通すように前記小径筒部を開く切れ込みと、を有し、前記小径筒部の前記切れ込みを挟んだ両側に一対または複数対の貫通孔が形成された前記コネクタカバーと、を備え、
前記カバー取付具は、前記Ｕ字形状部の開口が前記コネクタに向いて前記電線束の端部にテープ固定され、
前記コネクタカバーは、前記大径筒部が前記コネクタを覆い、前記小径筒部が前記電線束の端部を覆い、前記各対の貫通孔が、互いに重ね合わされ、かつ前記カバー取付具の前記第１の面部と前記第２の面部との間に位置され、前記係合凸部と前記係合凹部とが重ね合わされた前記各対の貫通孔を通して係合していることを特徴とするコネクタカバーの取付構造。
【発明の詳細な説明】
【技術分野】
【０００１】
本発明は、自動車等の車両に配策される電線を接続するコネクタを覆うコネクタカバーの取付構造に関する。
【背景技術】
【０００２】
例えば自動車等の車両での電線束の配策においては、各電線と接続先の例えば電子回路等をコネクタにより接続する方法があり、コネクタの接続部を保護するためにコネクタカバーを取り付けるのが一般的である。
【０００３】
この種の従来のコネクタ接続部の保護構造としては、第一、第二コネクタ１、２を雌雄嵌合させて電線Ｗ１とＷ２とを電気接続した後（図３参照）、保護カバー３、４をそれぞれ捲った状態から伸ばして、第一、第二コネクタ１、２の接続部の外周全体に延長部３ｅ、４ｅを重ねて被覆する（段落００２２、図１参照）ものがあった（例えば特許文献１）。
【０００４】
特許文献１に記載のものは、コネクタ全体を保護カバー３、４により延長部３ｅ、４ｅを重ねて密閉し、コネクタへの水、埃の侵入を防止している。
【０００５】
一方、コネクタの設置個所等によっては、コネクタの接続部を密封する必要がなく、電気的絶縁状態が保たれるように覆うだけで済むものある。
【０００６】
この種の従来のコネクタカバーの取付構造の組立手順を図９に示している。この従来のコネクタの取付構造においては、ワイヤハーネス１０を構成する各電線Ｗ１の末端に端子１５を圧着し、該端子１５をコネクタ２０の各端子挿通孔２０ａに差し込んで接続し、該接続箇所のコネクタ２０および電線束ＷＢの端部をコネクタカバー７０で覆っている。
【先行技術文献】
【特許文献】
【０００７】
【特許文献１】特開２０１０−１６５５２３号公報
【発明の概要】
【発明が解決しようとする課題】
【０００８】
図９に示す従来のコネクタカバーの取付構造とするには、まず、図９（ａ）に示すように各電線Ｗ１に端子１５を取り付ける前にコネクタカバー７０を小径筒部７２側から各電線Ｗ１の末端が抜け出るように挿通する。次に、図９（ｂ）に示すように、各電線Ｗ１の末端に端子１５を圧着する。その後、図９（ｃ）に示すように、各電線Ｗ１の末端部の端子１５をコネクタ２０の各端子挿通孔２０ａに差し込んだうえで、コネクタカバー７０を大径筒部７１がコネクタ２０を覆う位置まで戻し、さらに小径筒部７２側の末端部をテープ１６によりテープ巻きして固定する。
【０００９】
図９に示す従来のコネクタカバー７０の取付構造によれば、コネクタカバー７０は電線Ｗ１を先通しした後に各電線Ｗ１の末端に端子１５を圧着し、コネクタ２０に接続する必要があった。このため、コネクタカバー７０の取り付けに際し、電線先通しの作業が必要であった。しかも、この従来のコネクタカバー７０の取付構造によれば、先通ししたコネクタカバー７０をコネクタ２０を覆うことが可能な位置まで戻し、小径筒部７２を電線束ＷＢに対してテープ１６を巻き付けて固定する必要があり、取付作業が煩雑になるという問題点があった。
【００１０】
本発明は、上述のような課題を解決するためになされたもので、コネクタカバーの先通しおよびテープ巻き固定が不要で、各電線とコネクタとの接続後に容易にコネクタカバーを固定可能なコネクタカバーの取付構造を提供することを目的とする。
【課題を解決するための手段】
【００１１】
本願第１の発明に係るコネクタカバーの取付構造は、上記目的達成のため、複数の端子収容孔を有し、前記各端子収容孔に電線束を構成する各電線の末端に設けられた端子が差し込まれたコネクタを覆うコネクタカバーの取付構造において、棒状部と、前記棒状部と一体かつ前記棒状部に隣接して設けられた固定部と、前記棒状部の先端部に形成された脱出防止凸部と、を有するカバー取付具と、前記コネクタを覆うように形成された大径筒部と、前記大径筒部に連設され、前記電線束の端部を覆うように形成された小径筒部と、前記小径筒部に設けられ前記コネクタを通すように前記小径筒部を開く切れ込みと、前記小径筒部の前記切れ込みを挟んだ両側に形成された二対の貫通孔と、を有する前記コネクタカバーと、を備え、前記カバー取付具は、前記棒状部の前記脱出防止凸部が前記コネクタから離れた側に位置する向きに前記固定部が前記電線束にテープ固定され、前記コネクタカバーは、前記大径筒部が前記コネクタを覆い、前記小径筒部が前記電線束の端部を覆い、前記二対の貫通孔が、互いに重ね合わされ、前記二対の貫通孔のうちの前記コネクタ寄りの前記貫通孔に前記棒状部が内方から外方に挿通され、さらに前記コネクタから離れた側の前記貫通孔に前記棒状部が外方から内方に向けて挿通されている構成である。
【００１２】
本願第２の発明に係るコネクタカバーの取付構造は、上記目的達成のため、複数の端子収容孔を有し、前記各端子収容孔に電線束を構成する各電線の末端に設けられた端子が差し込まれたコネクタを覆うコネクタカバーの取付構造において、互いに対向する第１の面部と第２の面部とが近接可能に一端同士でつながっているＵ字形状部を有し、互いに押し付けられて係合する一対または複数対の係合凸部および係合凹部が前記第１の面部および前記第２の面部に分配して設けられたカバー取付具と、前記コネクタを覆うように形成された大径筒部と、前記大径筒部に連設され、前記電線束の端部を覆うように形成された小径筒部と、前記小径筒部に設けられ前記コネクタを通すように前記小径筒部を開く切れ込みと、を有し、前記小径筒部の前記切れ込みを挟んだ両側に一対または複数対の貫通孔が形成された前記コネクタカバーと、を備え、前記カバー取付具は、前記Ｕ字形状部の開口が前記コネクタに向いて前記電線束の端部にテープ固定され、前記コネクタカバーは、前記大径筒部が前記コネクタを覆い、前記小径筒部が前記電線束の端部を覆い、前記各対の貫通孔が、互いに重ね合わされ、かつ前記カバー取付具の前記第１の面部と前記第２の面部との間に位置され、前記係合凸部と前記係合凹部とが重ね合わされた前記各対の貫通孔を通して係合している構成である。
【００１３】
この構成により、本願第１および第２の発明に係るコネクタカバーの取付構造は、コネクタカバーを、切れ込みを開いて小径筒部の側からコネクタを通すことができ、各電線への端子取り付けおよび各端子のコネクタの端子挿通孔への差し込み前にコネクタカバーを先通しする必要がない。
【００１４】
また、切れ込みを開いてコネクタを通したコネクタカバーは、本願第１の発明にあっては、電線束に事前にテープ固定されたカバー取付具によって、大径筒部がコネクタを覆い、小径筒部が電線束の端部を覆い、二対の貫通孔が、互いに重ね合わされ、二対の貫通孔のうちのコネクタ寄りの貫通孔に棒状部が内方から外方に挿通され、さらにコネクタから離れた側の貫通孔に棒状部が外方から内方に向けて挿通されるように電線束に固定できる。
【００１５】
また、本願第２の発明にあっては、切れ込みを開いてコネクタを通したコネクタカバーは、電線束に事前にテープ固定されているカバー取付具を用いて、大径筒部がコネクタを覆い、小径筒部が電線束の端部を覆い、小径筒部に設けた各対の貫通孔が、互いに重ね合わされ、かつカバー取付具の第１の面部と第２の面部との間に位置され、係合凸部と係合凹部とが重ね合わされた各対の貫通孔を通して係合するように電線束に固定できる。第１および第２のいずれの発明においても、コネクタカバーのテープ巻きによる固定作業が不要である。
【発明の効果】
【００１６】
本発明によれば、コネクタカバーの先通しおよびテープ巻き固定が不要で、各電線とコネクタとの接続後に容易にコネクタカバーを固定可能なコネクタカバーの取付構造を提供することができる。
【図面の簡単な説明】
【００１７】
【図１】本発明の第１の実施の形態に係るコネクタカバーの取付構造を示す図である。
【図２】本発明の第１の実施の形態に係るカバー取付具の構成を示す図である。
【図３】本発明の第１の実施の形態に係るコネクタカバーの構成を示す図である。
【図４】図１におけるＡ−Ａ線による要部部分断面図である。
【図５】本発明の第１の実施の形態に係るコネクタカバーの取付手順を示す斜視図であり、（ａ）図はカバー取付具の取付工程を示し、（ｂ）図はコネクタカバーの挿通工程を示し、（ｃ）図はコネクタカバーの固定工程を示している。
【図６】本発明の第２の実施の形態に係るコネクタカバーの取付構造を示す図である。
【図７】本発明の第２の実施の形態に係るカバー取付具の構成を示す斜視図である。
【図８】本発明の第２の実施の形態に係るコネクタカバーの取付手順を示す要部部分側面図であり、（ａ）図はカバー取付具の取付工程を示し、（ｂ）図はコネクタカバーの挿通工程を示し、（ｃ）図はコネクタカバーの固定工程を示している。
【図９】従来のコネクタカバーの取付手順を示す斜視図である。
【発明を実施するための形態】
【００１８】
以下、本発明に係るコネクタカバーの取付構造の実施の形態について図面を参照して説明する。
【００１９】
［第１の実施の形態］
第１の実施の形態に係るコネクタカバー５０の取付構造について図１〜図５を参照して説明する。本実施の形態に係るコネクタカバー５０の取付構造は、上述した本願第１の発明に対応しており、例えば自動車等の車両に配索される各電線の末端に接続されるコネクタを覆うためのものである。
【００２０】
図１に示すように、本実施の形態に係るコネクタカバー５０は、複数の端子挿通孔２０ａを有し、各端子挿通孔２０ａに電線束ＷＢを構成する各電線Ｗ１の末端に設けられた端子１５が差し込まれたコネクタ２０を覆うために用いられる。具体的に、コネクタカバー５０は、カバー取付具３０によって電線束ＷＢに固定され、コネクタ２０および各電線Ｗ１の端部を覆っている。
【００２１】
カバー取付具３０は、図２に示すように、棒状部３１と、棒状部３１と一体かつ棒状部３１に隣接して設けられた固定部３２と、棒状部３１の先端部に形成された脱出防止凸部３３と、を有する。カバー取付具３０は、後述するように、電線束ＷＢを構成する各電線Ｗ１をコネクタ２０に電気的接続した後、コネクタカバー５０を電線束ＷＢに固定する前に電線束ＷＢの端部に固定用テープ１１ａで巻き付けられてテープ固定される。
【００２２】
コネクタカバー５０は、図３に示すように、コネクタ２０を覆うように形成された大径筒部５１と、大径筒部５１に連設され、電線束ＷＢの端部を覆うように形成された小径筒部５２と、小径筒部５２に設けられコネクタ２０を通すように小径筒部５２を開く切れ込み５３と、小径筒部５２の切れ込み５３を挟んだ両側に形成された二対の貫通孔５４ａ，５４ｂおよび５４ｃ，５４ｄと、を有する。
【００２３】
コネクタカバー５０は、小径筒部５２に設けられた切れ込み５３によってコネクタ２０を通すことができる状態に開くことができる。これにより、コネクタ２０の端子挿通孔２０ａに各電線Ｗ１の先端に圧着された端子１５を差し込んだ後に、コネクタカバー５０を、切れ込み５３を開いて小径筒部５２の側からコネクタ２０を通して電線束ＷＢの端部に達する位置まで挿通可能である。
【００２４】
また、コネクタカバー５０は、小径筒部５２の切れ込み５３を挟んだ両端を重ね合わせ、その状態からさらに小径筒部５２の径を小さくするように絞り込んでいくことで、上述した二対の貫通孔５４ａ，５４ｂおよび５４ｃ，５４ｄが互いに重ね合わされた状態とすることができる。
【００２５】
図１に示すコネクタカバー５０の取付構造においては、小径筒部５２の切れ込み５３を挟んだ両側端部が重ね合わされ、これにより、二対の貫通孔５４ａ，５４ｂおよび５４ｃ，５４ｄも互いに重ね合わされた状態となっている。この状態で、コネクタカバー５０は、電線束ＷＢに予めテープ固定されているカバー取付具３０の棒状部３１を、小径筒部５２の二対の貫通孔５４ａ，５４ｂおよび５４ｃ，５４ｄに対して、順次、内方から外方、外方から内方へと順次挿通させることによって電線束ＷＢに固定されている。
【００２６】
図４は、図１におけるコネクタカバー５０の取付構造におけるＡ−Ａ線による要部部分断面図である。図１および図４に示すように、本実施の形態に係るコネクタカバー５０の取付構造において、コネクタカバー５０は、大径筒部５１がコネクタ２０を覆い、小径筒部５２が電線束ＷＢの端部を覆い、二対の貫通孔５４ａ，５４ｂおよび５４ｃ，５４ｄが、互いに重ね合わされている。
【００２７】
この状態で、コネクタカバー５０は、二対の貫通孔５４ａ，５４ｂおよび５４ｃ，５４ｄのうちのコネクタ２０寄りの貫通孔５４ａ，５４ｂにカバー取付具３０の棒状部３１が小径筒部５２の内方から外方に挿通され、さらにコネクタ２０から離れた側の貫通孔５４ｃ，５４ｄに棒状部３１が小径筒部５２の外方から内方に向けて挿通されている。
【００２８】
次に、本実施の形態に係るコネクタカバー５０の取付手順について図５を参照して説明する。コネクタ２０にコネクタカバー５０を取り付ける際に、まず、図５（ａ）に示すように、ワイヤハーネス１０内の電線束ＷＢを構成する各電線Ｗ１の末端に端子１５（図５（ａ）では不図示）を圧着し、該端子１５をコネクタ２０の各端子挿通孔２０ａに差し込んで各電線Ｗ１とコネクタ２０を電気的に接続する。
【００２９】
次いで、カバー取付具３０をワイヤハーネス１０のコネクタ２０側の端部に固定する。具体的には、棒状部３１の脱出防止凸部３３がコネクタ２０から離れた側に位置する向きに固定部３２を電線束ＷＢに固定用テープ１１ａによってテープ固定する。
【００３０】
次いで、図５（ｂ）に示すように、各電線Ｗ１が接続されたコネクタ２０に対してコネクタカバー５０を小径筒部５２側から挿通する。この挿通工程では、コネクタカバー５０の小径筒部５２の切れ込み５３を開き、該開かれた側からコネクタ２０に通し、小径筒部５２がコネクタ２０を通り過ぎた位置で再び切れ込み５３を閉じる。
【００３１】
次いで、コネクタカバー５０を電線束ＷＢに固定する固定工程に移行する。この固定工程においては、図５（ｃ）に示すように、コネクタカバー５０の小径筒部５２の切れ込み５３を挟んだ両側の端辺を重ね合わせ、さらに二対の貫通孔５４ａ，５４ｂおよび５４ｃ，５４ｄが各対ごとに互いに重ね合わされるまで小径筒部５２をさらに絞り込む。
【００３２】
次いで、コネクタカバー５０を、重ね合わされているコネクタ２０寄りの貫通孔５４ａ，５４ｂがカバー取付具３０の棒状部３１の脱出防止凸部３３に近接する位置にくるまで電線束ＷＢの長手方向に移動させる。
【００３３】
この状態で、カバー取付具３０の棒状部３１を、互いに重ね合わされているコネクタ２０寄りの一対の貫通孔５４ａ，５４ｂに対して小径筒部５２の内方から外方へと挿通し、さらにコネクタ２０から離れた側の互いに重ね合わされている貫通孔５４ｃ，５４ｄに対して小径筒部５２の外方から内方へと挿通する。
【００３４】
これにより、コネクタカバー５０は、図１、図４および図５（ｃ）に示すように、大径筒部５１がコネクタ２０を覆い、小径筒部５２が電線束ＷＢの端部を覆い、二対の貫通孔５４ａ，５４ｂおよび５４ｃ，５４ｄが、互いに重ね合わされる。この状態でコネクタカバー５０は、二対の貫通孔５４ａ，５４ｂおよび５４ｃ，５４ｄのうちのコネクタ２０寄りの貫通孔５４ａ，５４ｂにカバー取付具３０の棒状部３１が内方から外方に挿通され、さらにコネクタ２０から離れた側の貫通孔５４ａ，５４ｂに棒状部３１が外方から内方に向けて挿通され、電線束ＷＢに固定される。
【００３５】
図５（ｃ）に示すコネクタカバー５０の固定工程において、カバー取付具３０の棒状部３１に形成された脱出防止凸部３３は、互いに重ね合わされた二対の貫通孔５４ａ，５４ｂおよび５４ｃ，５４ｄを通る際はその孔径サイズ内に納まるように変形して当該挿通を可能にし、貫通後は元の状態に戻る。これにより、コネクタカバー５０は、棒状部３１が上記貫通孔５４ａ，５４ｂに外方から内方に挿通された際に、脱出防止凸部３３が元のサイズに戻り、当該貫通孔５４ａ，５４ｂから容易に抜け出すことができない状態となって電線束ＷＢに固定される。
【００３６】
このように、第１の実施の形態に係るコネクタカバー５０の取付構造は、棒状部３１と、棒状部３１と一体かつ棒状部３１に隣接して設けられた固定部３２と、棒状部３１の先端部に形成された脱出防止凸部３３と、を有するカバー取付具３０と、コネクタ２０を覆うように形成された大径筒部５１と、大径筒部５１に連設され、電線束ＷＢの端部を覆うように形成された小径筒部５２と、小径筒部５２に設けられコネクタ２０を通すように小径筒部５２を開く切れ込み５３と、小径筒部５２の切れ込み５３を挟んだ両側に形成された二対の貫通孔５４ａ，５４ｂおよび５４ｃ，５４ｄと、を有するコネクタカバー５０と、を備え、カバー取付具３０は、棒状部３１の脱出防止凸部３３がコネクタ２０から離れた側に位置する向きに固定部３２が電線束ＷＢに固定用テープ１１ａによって固定され、コネクタカバー５０は、大径筒部５１がコネクタ２０を覆い、小径筒部５２が電線束ＷＢの端部を覆い、二対の貫通孔５４ａ，５４ｂおよび５４ｃ，５４ｄが、互いに重ね合わされ、二対の貫通孔５４ａ，５４ｂおよび５４ｃ，５４ｄのうちのコネクタ２０寄りの貫通孔５４ａ，５４ｂに棒状部３１が内方から外方に挿通され、さらにコネクタ２０から離れた側の貫通孔５４ｃ，５４ｄに棒状部３１が外方から内方に向けて挿通されている構成である。
【００３７】
この構成により、第１の実施の形態に係るコネクタカバー５０の取付構造は、コネクタカバー５０を、切れ込み５３を開いて小径筒部５２の側からコネクタ２０を通すことができ、各電線Ｗ１への端子１５の取り付けおよび各端子１５のコネクタ２０の端子挿通孔２０ａへの差し込み前にコネクタカバー５０を先通しする必要がない。
【００３８】
また、切れ込み５３を開いてコネクタ２０を通したコネクタカバー５０は、電線束ＷＢに事前にテープ固定されたカバー取付具３０によって、大径筒部５１がコネクタ２０を覆い、小径筒部５２が電線束ＷＢの端部を覆い、二対の貫通孔５４ａ，５４ｂおよび５４ｃ，５４ｄが、互いに重ね合わされ、二対の貫通孔のうちのコネクタ２０寄りの貫通孔５４ａ，５４ｂに棒状部３１が内方から外方に挿通され、さらにコネクタ２０から離れた側の貫通孔５４ｃ，５４ｄに棒状部３１が外方から内方に向けて挿通されるように電線束ＷＢに固定することができ、コネクタカバー５０のテープ巻きによる固定作業が不要である。
【００３９】
［第２の実施の形態］
第２の実施の形態に係るコネクタカバー５０の取付構造について図６〜図８を参照して説明する。第２の実施の形態に係るコネクタカバー５０の取付構造は、上述した本願第２の発明に対応しており、第１の実施の形態と同様の構成には同一の符号を付してその詳細な説明を省略し、特に第１の実施の形態と相違する構成を中心に説明する。
【００４０】
図６に示すように、第２の実施の形態では、コネクタカバー５０を電線束ＷＢに取り付けるためにカバー取付具４０を用いる。第２の実施の形態において、コネクタ２０、コネクタカバー５０等、カバー取付具４０以外の構成は第１の実施の形態のものと同様である。
【００４１】
図７に示すように、第２の実施の形態において、カバー取付具４０は、互いに対向する第１の面部４１と第２の面部４２とが近接可能に一端同士でつながっているＵ字形状部４０ａを有する。Ｕ字形状部４０ａには、互いに押し付けられて係合する係合凸部４３ａと係合凹部４４ａ、並びに係合凸部４３ｂと係合凹部４４ｂが、第１の面部４１および第２の面部４２に分配して設けられている。
【００４２】
係合凸部４３ａ，４３ｂの先端部には、大径頭部４３１ａ，４３１ｂが形成されている。係合凹部４４ａ，４４ｂは、第２の面部４２を貫通する係合用の貫通孔を有してリング状に形成されている。なお、係合凹部４４ａ，４４ｂは、貫通孔を有するタイプではなく、奥行が閉鎖している穴タイプであってもよい。Ｕ字形状部４０ａの開口４０ｂには、開口内部に向けて突出した挟持用の突出部４５ａ，４５ｂが形成されている。
【００４３】
カバー取付具４０において、Ｕ字形状部４０ａは、例えばＰＰ（ポリプロプレン）製、あるいはＣＮＦ（セルロースナノファイバー）入りのＰＡ（ポリアミド）製のものである。ＣＮＦは、鋼鉄の５分の１の軽さで５倍以上の強度を有する。Ｕ字形状部４０ａは、ＰＡ樹脂中にＣＮＦを均一に分散させたもので構成した場合、軽く、強く、熱による変形が少ないものとすることができる。また、Ｕ字形状部４０ａにおいて、表面、係合凸部４３ａ，４３ｂの外周部、係合凹部４４ａ，４４ｂの外周および内周には、ＡＬイオンプレーティングによる表面処理が施されている。
【００４４】
カバー取付具４０において、係合凸部４３ａと係合凹部４４ａ、係合凸部４３ｂと係合凹部４４ｂは互いに対応する位置に配置されており、第１の面部４１、第２の面部４２が互いに近接するように力を加えることで、係合凸部４３ａと係合凹部４４ａ、ならびに係合凸部４３ｂと係合凹部４４ｂを、それぞれ、係合凸部４３ａの大径頭部４３１ａが係合凹部４４ａを貫通し、かつ、係合凸部４３ｂの大径頭部４３１ｂが係合凹部４４ｂを貫通した状態に互いに嵌合可能である。
【００４５】
図６に示す本実施の形態に係るコネクタカバー５０の取付構造において、カバー取付具４０は、Ｕ字形状部４０ａの開口４０ｂがコネクタ２０に向いて電線束ＷＢの端部に固定用テープ１１ａにより固定されている。
【００４６】
電線束ＷＢの固定されたカバー取付具４０に対し、コネクタカバー５０は、小径筒部５２の互いに重ね合わせられた二対の貫通孔５４ａ，５４ｂおよび５４ｃ，５４ｄが、それぞれ、係合凸部４３ａと係合凹部４４ａ間と、係合凸部４３ｂと係合凹部４４ｂ間とに位置するようにコネクタ２０および電線束ＷＢの端部に被せられる。
【００４７】
この状態で、コネクタカバー５０は、図６に示すように、大径筒部５１がコネクタ２０を覆い、小径筒部５２が電線束ＷＢの端部を覆い、各対の貫通孔５４ａ，５４ｂおよび５４ｃ，５４ｄが、互いに重ね合わされ、かつカバー取付具４０の第１の面部４１と第２の面部４２との間に位置され、係合凸部４３ａと係合凹部４４、並びに係合凸部４３ａと係合凹部４４が重ね合わされた各対の貫通孔５４ａ，５４ｂおよび５４ｃ，５４ｄを通して係合している状態に電線束ＷＢに対して固定されている。
【００４８】
次に、本実施の形態に係るコネクタカバー５０の取付手順について図８を参照して説明する。本実施の形態では、コネクタ２０にコネクタカバー５０を取り付ける際に、まず、図５（ａ）で説明した方法で、ワイヤハーネス１０を構成する各電線Ｗ１の末端に端子１５を圧着し、該端子１５をコネクタ２０の各端子挿通孔２０ａに差し込んで各電線Ｗ１とコネクタ２０を電気的に接続する（図５（参照））。
【００４９】
次いで、カバー取付具４０をワイヤハーネス１０の電線束ＷＢを構成する各電線Ｗ１のコネクタ２０側の端部に固定する。具体的には、図８（ａ）に示すように、Ｕ字形状部４０ａの開口４０ｂがコネクタ２０に向くように電線束ＷＢの端部に固定用テープ１１ａにより固定する。
【００５０】
次いで、各電線Ｗ１が接続されたコネクタ２０に対してコネクタカバー５０を挿通する。この挿通工程では、図５（ｂ）で説明した方法で、コネクタカバー５０の小径筒部５２の切れ込み５３を開き、該開かれた側からコネクタ２０を通し、コネクタ２０が小径筒部５２を通り過ぎた位置で再び切れ込み５３を閉じる。
【００５１】
引き続き、コネクタカバー５０を上記挿通方向に動かしつつ、切れ込み５３が閉じられた小径筒部５２を先端側からカバー取付具４０の第１の面部４１と第２の面部４２との間に挿通する。
【００５２】
その後、図５（ｃ）で説明した方法で、コネクタカバー５０の小径筒部５２の切れ込み５３を挟んだ両側の端辺を重ね合わせ、さらに二対の貫通孔５４ａ，５４ｂおよび５４ｃ，５４ｄが各対ごとにそれぞれ重ね合わされるまで小径筒部５２を絞り込む。
【００５３】
その際、図８（ｂ）に示すように、小径筒部５２の重ね合わされている二対の貫通孔５４ａ，５４ｂおよび５４ｃ，５４ｄに、それぞれ、カバー取付具４０のＵ字形状部４０ａの第１の面部４１に形成された係合凸部４３ａと４３ｂが挿通されるようにして上記絞込みを続ける。
【００５４】
小径筒部５２の絞り込みが完了し、重ね合わされた二対の貫通孔５４ａ，５４ｂおよび５４ｃ，５４ｄに、それぞれ、カバー取付具４０のＵ字形状部４０ａの第１の面部４１に形成された係合凸部４３ａ，４３ｂが挿通されたところで、例えば、カバー取付具４０の第２の面部４２を下方に押し付ける。
【００５５】
これにより、コネクタカバー５０は、図６および図８（ｃ）に示すように、大径筒部５１がコネクタ２０を覆い、小径筒部５２が電線束ＷＢの端部を覆い、各対の貫通孔５４ａ，５４ｂおよび５４ｃ，５４ｄが、互いに重ね合わされ、かつカバー取付具４０の第１の面部４１と第２の面部４２との間に位置され、係合凸部４３ａと係合凹部４４ａ並びに係合凸部４３ｂと係合凹部４４ｂとがそれぞれ重ね合わされた各対の貫通孔５４ａ，５４ｂおよび５４ｃ，５４ｄを通して係合するように電線束ＷＢに固定される。
【００５６】
図８（ｃ）に示したコネクタカバー５０の固定工程において、係合凸部４３ａ，４３ｂの各大径頭部４３１ａ，４３１ｂは、縮径して係合凹部４４ａ，４４ｂの貫通孔を通り、貫通孔を通過した後は元の大きさに戻る。また、係合凸部４３ａ，４３ｂの各大径頭部４３１ａ，４３１ｂが係合凹部４４ａ，４４ｂの貫通孔を通過した固定状態においては、第１の面部４１の突出部４５ａと第２の面部４２の突出部４５ｂが切れ込み５３の両側の重なり合っている部分に密着状態に当接する。これにより、コネクタカバー５０は、容易には脱落しないように電線束ＷＢに固定される。
【００５７】
このように、第２の実施の形態に係るコネクタカバー５０の取付構造は、互いに対向する第１の面部４１と第２の面部４２とが近接可能に一端同士でつながっているＵ字形状部４０ａを有し、互いに押し付けられて係合する一対または複数対の係合凸部４３ａ，４３ｂおよび係合凹部４４ａ，４４ｂが第１の面部４１および第２の面部４２に分配して設けられたカバー取付具４０と、コネクタ２０を覆うように形成された大径筒部５１と、大径筒部５１に連設され、電線束ＷＢの端部を覆うように形成された小径筒部５２と、小径筒部５２に設けられコネクタ２０を通すように小径筒部５２を開く切れ込み５３と、を有し、小径筒部５２の切れ込み５３を挟んだ両側に一対または複数対の貫通孔５４ａ，５４ｂおよび５４ｃ，５４ｄが形成されたコネクタカバー５０と、を備え、カバー取付具４０は、Ｕ字形状部４０ａの開口４０ｂがコネクタ２０に向いて電線束ＷＢの端部にテープ固定され、コネクタカバー５０は、大径筒部５１がコネクタ２０を覆い、小径筒部５２が電線束ＷＢの端部を覆い、各対の貫通孔５４ａ，５４ｂおよび５４ｃ，５４ｄが、互いに重ね合わされ、かつカバー取付具４０の第１の面部４１と第２の面部４２との間に位置され、係合凸部４３ａと係合凹部４４ａ並びに係合凸部４３ｂと係合凹部４４ｂとが重ね合わされた各対の貫通孔５４ａ，５４ｂおよび５４ｃ，５４ｄを通して係合している構成である。
【００５８】
この構成により、第２の実施の形態に係るコネクタカバー５０の取付構造は、第１の実施の形態と同様、コネクタカバー５０を、切れ込み５３を開いて小径筒部５２の側からコネクタ２０を通すことができ、各電線Ｗ１への端子１５の取り付けおよび各端子１５のコネクタ２０の端子挿通孔２０ａへの差し込み前にコネクタカバー５０を先通しする必要がない。
【００５９】
また、切れ込み５３を開いてコネクタ２０を通したコネクタカバー５０は、電線束ＷＢに事前にテープ固定されているカバー取付具４０を用いて、大径筒部５１がコネクタ２０を覆い、小径筒部５２が電線束ＷＢの端部を覆い、小径筒部５２に設けた各対の貫通孔５４ａ，５４ｂおよび５４ｃ，５４ｄが、互いに重ね合わされ、かつカバー取付具４０の第１の面部４１と第２の面部４２との間に位置され、係合凸部４３ａと係合凹部４４ａ、並びに係合凸部４３ｂと係合凹部４４ｂがそれぞれ重ね合わされた各対の貫通孔５４ａ，５４ｂおよび５４ｃ，５４ｄを通して係合するように電線束に固定でき、コネクタカバー５０のテープ巻きによる固定作業が不要となる。
【００６０】
以上説明したように、本発明に係るコネクタカバーの取付構造は、コネクタカバーの先通しおよびテープ巻き固定が不要で、各電線とコネクタとの接続後に容易にコネクタカバーを固定可能であるという効果を有し、車両等に配策される電線束の各電線が接続されるコネクタに対するコネクタカバーの取付構造全般に有用である。
【符号の説明】
【００６１】
１５  端子
２０  コネクタ
２０ａ  端子挿通孔
３０  カバー取付具
３１  棒状部
３２  固定部
３３  脱出防止凸部
４０  カバー取付具
４０ａ  Ｕ字形状部
４１  第１の面部
４２  第２の面部
４３ａ，４３ｂ  係合凸部
４４ａ，４４ｂ  係合凹部
５０  コネクタカバー
５１  大径筒部
５２  小径筒部
５３  切れ込み
５４ａ，５４ｂ，５４ｃ，５４ｄ  貫通孔
ＷＢ  電線束
Ｗ１  電線
【図１】
2017168200.tif 000003
【図２】
2017168200.tif 000004
【図３】
2017168200.tif 000005
【図４】
2017168200.tif 000006
【図５】
2017168200.tif 000007
【図６】
2017168200.tif 000008
【図７】
2017168200.tif 000009
【図８】
2017168200.tif 000010
【図９】
2017168200.tif 000011